(57)【要約】【課題】ゲート駆動信号を電源用トランスによって適切に伝達することができるゲート駆動回路を提供する。【解決手段】ゲート駆動信号を電源用トランス２により絶縁伝達するゲート駆動回路１であって、一次側電圧の駆動タイミングを生成するタイミング生成部４と、駆動タイミングに基づいて一次側電圧を出力するトランス駆動回路部３と、二次側電圧に含まれるパターン信号でゲート駆動信号を検出するパターン検出部６及びフリップフロップ回路部８とを備え、タイミング生成部４は、ゲート駆動信号を時間Ｔ１だけ遅延させ、ゲート駆動信号の極性反転タイミングから時間Ｔ１経過までの期間は一次側電圧ＶＴ１の極性反転を禁止し、時間Ｔ１経過直後にゲート駆動信号に応じて時間Ｔ１よりも短い時間幅Ｔ２,Ｔ３をもつパルス状極性反転を有するパターン信号が一次側電圧ＶＴ１に含まれるように駆動タイミングを生成する。【選択図】図１
2012125100.tif 000002
【特許請求の範囲】
【請求項１】
スイッチング素子のゲートを駆動させるゲート駆動信号を電源用のトランスにより絶縁伝達するゲート駆動回路であって、
前記トランスの一次側の電圧信号の駆動タイミングを生成するタイミング生成手段と、
前記駆動タイミングに基づいて前記トランスの一次側の電圧信号を出力するトランス駆動手段と、
前記トランスの二次側の電圧信号に含まれるパターン信号に基づいて前記ゲート駆動信号を検出するゲート駆動信号検出手段と、
を備え、
前記タイミング生成手段は、
前記ゲート駆動信号を所定の遅延時間だけ遅延させ、前記ゲート駆動信号の極性反転のタイミングから前記遅延時間経過までの期間は一次側の電圧信号の極性反転を禁止するとともに、前記遅延時間経過直後に、前記ゲート駆動信号に応じて、前記遅延時間よりも短い時間幅をもつパルス状の極性反転を有する前記パターン信号が一次側の電圧信号に含まれるように前記駆動タイミングを生成すること、
を特徴とするゲート駆動回路。
【請求項２】
前記タイミング生成手段は、前記ゲート駆動信号の極性反転状態に応じてパルス状の極性反転の時間幅の長さを変更した前記パターン信号が一次側の電圧信号に含まれるように前記駆動タイミングを生成し、
前記ゲート駆動信号検出手段は、前記パターン信号に基づいて前記ゲート駆動信号の極性反転状態を検出する請求項１に記載のゲート駆動回路。
【請求項３】
前記タイミング生成手段は、前記ゲート駆動信号の極性反転タイミングに応じた時間幅一定のパルス状の極性反転を有する前記パターン信号が一次側の電圧信号に含まれるように前記駆動タイミングを生成するとともに、前記パターン信号終了から所定時間経過後の一次側の電圧信号の極性と前記ゲート駆動信号の極性とが一致するように前記駆動タイミングを生成し、
前記ゲート駆動信号検出手段は、前記パターン信号に基づいて前記ゲート駆動信号の極性反転のタイミングを検出し、前記パターン信号終了から所定時間経過後の二次側の電圧信号の極性に基づいて、前記ゲート駆動信号の極性を検出する請求項１に記載のゲート駆動回路。
【発明の詳細な説明】
【技術分野】
【０００１】
本発明は、スイッチング素子のゲートを駆動する回路に関するものである。
【背景技術】
【０００２】
従来、スイッチング素子のゲートを駆動する回路として、ゲート駆動信号を電源用のトランスによって絶縁伝達するものが知られている（例えば、特許文献１参照）。特許文献１記載の回路は、パルス幅デューティサイクル信号とクロック信号とを用いて、パルス幅デューティサイクル信号を変動させ、ゲート駆動信号をトランスによって伝達する。
【先行技術文献】
【特許文献】
【０００３】
【特許文献１】特開平２−１１９６０号公報
【発明の概要】
【発明が解決しようとする課題】
【０００４】
しかしながら、特許文献１記載の装置にあっては、クロック信号と同期したタイミングでなければパルス幅デューティサイクル信号を変更することができない。ゲート駆動信号はクロック信号と同期している保証はないため、特許文献１記載の装置では、ゲート駆動信号のＨｉ又はＬｏｗ（ＯＮ又はＯＦＦ）のタイミングが遅延するおそれがあるとともに、パルス幅デューティサイクル信号の変更の度に遅延時間が変動して一定とならない場合がある。
【０００５】
そこで、本発明はこのような技術課題を解決するためになされたものであって、ゲート駆動信号を電源用のトランスによって電力供給とともに適切に伝達することができるゲート駆動回路を提供することを目的とする。
【課題を解決するための手段】
【０００６】
すなわち本発明に係るゲート駆動回路は、スイッチング素子のゲートを駆動させるゲート駆動信号を電源用のトランスにより絶縁伝達するゲート駆動回路であって、前記トランスの一次側の電圧信号の駆動タイミングを生成するタイミング生成手段と、前記駆動タイミングに基づいて前記トランスの一次側の電圧信号を出力するトランス駆動手段と、前記トランスの二次側の電圧信号に含まれるパターン信号に基づいて前記ゲート駆動信号を検出するゲート駆動信号検出手段と、を備え、前記タイミング生成手段は、前記ゲート駆動信号を所定の遅延時間だけ遅延させ、前記ゲート駆動信号の極性反転のタイミングから前記遅延時間経過までの期間は一次側の電圧信号の極性反転を禁止するとともに、前記遅延時間経過直後に、前記ゲート駆動信号に応じて、前記遅延時間よりも短い時間幅をもつパルス状の極性反転を有する前記パターン信号が一次側の電圧信号に含まれるように前記駆動タイミングを生成することを特徴として構成される。
【０００７】
本発明に係るゲート駆動回路では、タイミング生成手段により、ゲート駆動信号の極性反転のタイミングから遅延時間経過までの期間はトランスの一次側の電圧信号の極性反転が禁止される。これにより、遅延時間間隔以下の電圧信号の極性変化が生じなくなる。そして、タイミング生成手段により、遅延時間経過直後にゲート駆動信号の極性反転に応じて遅延時間よりも短い時間幅をもつパルス状の極性反転を有するパターン信号を生成することで、ゲート駆動信号の極性反転に関するパターン信号を検出可能な状態でトランスの電圧信号に含ませることができるとともに、パターン信号をトランスの電圧信号にどのタイミングにおいても含ませることが可能となる。よって、ゲート駆動信号をトランスによって適切に伝達することができる。
【０００８】
ここで、前記タイミング生成手段は、前記ゲート駆動信号の極性反転状態に応じてパルス状の極性反転の時間幅の長さを変更した前記パターン信号が一次側の電圧信号に含まれるように前記駆動タイミングを生成し、前記ゲート駆動信号検出手段は、前記パターン信号に基づいて前記ゲート駆動信号の極性反転状態を検出することが好適である。
【０００９】
このように構成することで、パターン信号の時間幅に基づいてゲート駆動信号の極性反転状態を適切に検出することができる。
【００１０】
あるいは、前記タイミング生成手段は、前記ゲート駆動信号の極性反転タイミングに応じた時間幅一定のパルス状の極性反転を有する前記パターン信号が一次側の電圧信号に含まれるように前記駆動タイミングを生成するとともに、前記パターン信号終了から所定時間経過後の一次側の電圧信号の極性と前記ゲート駆動信号の極性とが一致するように前記駆動タイミングを生成し、前記ゲート駆動信号検出手段は、前記パターン信号に基づいて前記ゲート駆動信号の極性反転のタイミングを検出し、前記パターン信号終了から所定時間経過後の二次側の電圧信号の極性に基づいて、前記ゲート駆動信号の極性を検出してもよい。
【００１１】
このように構成することで、パターン信号の出現タイミングでゲート駆動信号の極性反転のタイミングを適切に検出することができるとともに、パターン信号終了から所定時間経過後の電圧信号の極性を用いてゲート駆動信号の極性を適切に検出することが可能となる。
【発明の効果】
【００１２】
本発明によれば、ゲート駆動信号を電源用のトランスによって電力供給とともに適切に伝達することができる。
【図面の簡単な説明】
【００１３】
【図１】第１実施形態に係るゲート駆動回路を示す回路構成図である。
【図２】図１に示すゲート駆動回路の動作を示すタイミングチャートである。
【図３】第２実施形態に係るゲート駆動回路を示す回路構成図である。
【図４】図３に示すゲート駆動回路の動作を示すタイミングチャートである。
【発明を実施するための形態】
【００１４】
以下、添付図面を参照して本発明の実施形態について説明する。なお、各図において同一又は相当部分には同一の符号を付し、重複する説明を省略する。
【００１５】
（第１実施形態）
図１は、本発明に係るゲート駆動回路の一実施形態を示す回路構成図である。同図において、本実施形態のゲート駆動回路１は、図示しないＩＧＢＴ（Insulated  Gate  Bipolar  Transistor）やＭＯＳＦＥＴ（Metal-Oxide-Semiconductor  Field-Effect  Transistor）等のパワースイッチング素子のゲートを駆動する回路である。
【００１６】
図１に示すように、ゲート駆動回路１は、トランス２を備えている。トランス２は、一次側から二次側へ絶縁電力供給可能に構成されており、電源用のトランスとして機能する。そして、トランス２は、パワースイッチング素子のゲートを駆動するためのゲート駆動信号を一次側から二次側へ絶縁伝達可能に構成されている。
【００１７】
トランス２の一次側は、トランス駆動回路（トランス駆動手段）３を介してタイミング生成部（タイミング生成手段）４及び遅延生成部５と接続されている。一方、トランス２の二次側は、ダイオード９を介して電圧源１０と接続されているとともに、パターン検出部（ゲート駆動信号検出手段）６を介してフリップフロップ回路部（ゲート駆動信号検出手段）８と接続されている。
【００１８】
最初に、トランス２の一次側の構成について詳細を説明する。タイミング生成部４及び遅延生成部５は、マイコン等により生成された入力ゲート駆動信号ＳＧｉｎ１を入力する機能を有している。遅延生成部５は、入力ゲート駆動信号ＳＧｉｎ１を所定時間（遅延時間Ｔ１）だけ遅延させた入力ゲート駆動遅延信号ＳＧｉｎ２を生成する機能を有している。そして、遅延生成部５は、入力ゲート駆動遅延信号ＳＧｉｎ２をタイミング生成部４へ出力する機能を有している。なお、遅延生成部５は、入力ゲート駆動遅延信号ＳＧｉｎ２を生成するために用いた遅延時間Ｔ１のみをタイミング生成部４へ出力してもよい。
【００１９】
タイミング生成部４は、トランス２の一次側の電圧信号の駆動周期及び駆動タイミングを生成する機能を有している。ここで、タイミング生成部４は、通常の電源動作としての駆動タイミングとともに、入力ゲート駆動信号ＳＧｉｎ１及び遅延時間Ｔ１、又は、入力ゲート駆動信号ＳＧｉｎ１及び入力ゲート駆動遅延信号ＳＧｉｎ２に基づいて、ゲート駆動信号伝達のために、トランス２の一次側の電圧信号の駆動周期及び駆動タイミングを生成する機能を有している。例えば、タイミング生成部４は、入力ゲート駆動信号ＳＧｉｎ１の変化、極値（ＨＬデータ値）及び遅延時間Ｔ１（又は入力ゲート駆動遅延信号ＳＧｉｎ２）に基づいて、トランス２の駆動タイミングを生成する。すなわち、タイミング生成部４は、トランス２の電圧信号にゲート駆動信号に関する情報を含ませる機能を有している。
【００２０】
トランス駆動回路部３は、タイミング生成部４により生成された駆動周期及び駆動タイミングでトランス２の一次側の電圧信号を生成し、トランス２の一次側を駆動する。
【００２１】
次に、トランス２の二次側の構成について詳細を説明する。トランス２の二次側電圧は、トランス２の巻き線数比に応じて一次側電圧と同じタイミングで振幅が変化する。
【００２２】
パターン検出部６は、トランスの二次側に接続されており、二次側の電圧信号に含まれるゲート駆動信号に関する電圧パターン（パターン信号）を検出する機能を有している。そして、パターン検出部６は、検出したパターン信号でデータ判別し、判別結果をフリップフロップ回路部８へ出力する機能を有している。フリップフロップ回路部８は、判別結果を保持する機能を有している。
【００２３】
次に、上記構成のゲート駆動回路１の動作について説明する。図２は、ゲート駆動回路１の動作を示すタイミングチャートである。
【００２４】
図２に示すように、最初に、タイミング生成部４及び遅延生成部５が入力ゲート駆動信号ＳＧｉｎ１を入力する。その後、遅延生成部５が、入力ゲート駆動信号ＳＧｉｎ１を遅延時間Ｔ１だけ遅延させて入力ゲート駆動遅延信号ＳＧｉｎ２を生成する。
【００２５】
そして、タイミング生成部４は、入力ゲート駆動信号ＳＧｉｎ１が変化したタイミングから遅延時間Ｔ１の間はトランス２の駆動極性変化（Ｈｉ／Ｌｏｗ極性反転）を禁止する。そして、遅延時間Ｔ１経過直後に、入力ゲート駆動信号ＳＧｉｎ１のＨｉ／Ｌｏｗ（ＯＮ／ＯＦＦ）の変化に応じて、遅延時間Ｔ１よりも短い時間幅をもつパルス状の極性反転を有するパターン信号が一次側の電圧信号ＶＴ１に含まれるように駆動タイミングを生成する。例えば、入力ゲート駆動信号ＳＧｉｎ１がＬｏｗからＨｉ（ＯＦＦからＯＮ）へ変化するときには、遅延時間Ｔ１よりも短い時間幅Ｔ２をもつパルス状の極性反転を有するパターン信号が一次側の電圧信号ＶＴ１に含まれるように駆動タイミングを生成する。そして、タイミング生成部４は、パターン信号直後からトランス２の一次側の電圧信号ＶＴ１の駆動周期が始まるように、パターン信号直後に駆動周期をリセットする。これにより、トランス駆動回路部３は、入力ゲート駆動信号ＳＧｉｎ１が変化したタイミングから遅延時間Ｔ１の間はトランス２の駆動極性を変更せず、遅延時間Ｔ１経過直後に、時間幅Ｔ２をもつパルス状の極性反転を有するパターン信号を出力する。その後、トランス一次側電圧ＶＴ１の駆動を最初から実行する。
【００２６】
一方、タイミング生成部４は、入力ゲート駆動信号ＳＧｉｎ１がＨｉからＬｏｗ（ＯＮからＯＦＦ）へ変化するときには、遅延時間Ｔ１よりも短い時間幅Ｔ３をもつパルス状の極性反転を有するパターン信号が一次側の電圧信号ＶＴ１に含まれるように駆動タイミングを生成する。そして、タイミング生成部４は、パターン信号直後からトランス２の一次側の電圧信号ＶＴ１の駆動周期が始まるように、パターン信号直後に駆動周期をリセットする。これにより、トランス駆動回路部３は、図２中のトランス一次側電圧ＶＴ１に示すように、入力ゲート駆動信号ＳＧｉｎ１が変化したタイミングから遅延時間Ｔ１の間はトランス２の駆動極性を変更せず、遅延時間Ｔ１経過直後に、時間幅Ｔ３をもつパルス状の極性反転を有するパターン信号を出力する。その後、トランス一次側電圧ＶＴ１の駆動を最初から実行する。なお、時間幅Ｔ２,Ｔ３はそれぞれ異なり、かつ、遅延時間Ｔ１よりも短く設定されている。
【００２７】
このように、トランス一次側電圧ＶＴ１は、入力ゲート駆動信号ＳＧｉｎ１の極性変化に応じて、時間幅の異なる所定のパターンを描くように変更される。
【００２８】
トランス２の二次側は、トランス２の巻き線数比に応じて一次側電圧ＶＴ１と同じタイミングで電圧ＶＴ２の振幅を変化させる。パターン検出部６は、二次側電圧ＶＴ２の極性変化の時間間隔を検出する。例えば、パターン検出部６は、一定間隔毎に二次側電圧ＶＴ２をサンプリングし（図２中の▽印）、Ｈｉ,Ｌｏｗ,Ｈｉ,Ｈｉ（ＨＬＨＨ）のパターン又はＬｏｗ,Ｈｉ,Ｌｏｗ,Ｌｏｗ（ＬＨＬＬ）のパターンで時間間隔Ｔ２、Ｈｉ,Ｌｏｗ,Ｌｏｗ,Ｈｉ（ＨＬＬＨ）のパターン又はＬｏｗ,Ｈｉ,Ｈｉ,Ｌｏｗ（ＬＨＨＬ）のパターンで時間間隔Ｔ３を検出する。そして、パターン検出部６は、時間間隔Ｔ２を検出した場合には、パターン検出出力ＬＯＵＴ１を出力し、時間間隔Ｔ３を検出した場合には、パターン検出出力ＬＯＵＴ２を出力する。
【００２９】
フリップフロップ回路部８は、パターン検出出力ＬＯＵＴ１,ＬＯＵＴ２を入力して保持する。パターン検出出力ＬＯＵＴ１は、入力ゲート駆動信号ＳＧｉｎ１のＬｏｗからＨｉへの極性変化に対応し、パターン検出出力ＬＯＵＴ２は、入力ゲート駆動信号ＳＧｉｎ１のＨｉからＬｏｗへの極性変化に対応している。このため、ラッチしたデータは入力ゲート駆動信号ＳＧｉｎ１を復元したものとなり、出力ゲート駆動信号ＳＧｏｕｔとして出力される。
【００３０】
以上、第１実施形態に係るゲート駆動回路１によれば、タイミング生成部４により、入力ゲート駆動信号ＳＧｉｎ１の極性反転のタイミングから遅延時間Ｔ１経過までの期間はトランス２の一次側の電圧信号ＶＴ１の極性反転が禁止される。これにより、遅延時間Ｔ１間隔以下の電圧信号の極性変化が生じなくなる。そして、タイミング生成部４により、遅延時間Ｔ１経過直後に入力ゲート駆動信号ＳＧｉｎ１の極性反転に応じて遅延時間Ｔ１よりも短い時間幅Ｔ２,Ｔ３をもつパルス状の極性反転を有するパターン信号を生成することで、入力ゲート駆動信号ＳＧｉｎ１の極性反転に関するパターン信号を検出可能な状態でトランス２の電圧信号ＶＴ１に含ませることができる。さらに、従来のように、トランス２の一次側を一定の周波数に同期して駆動させ、その周波数に同期してクロックを生成して信号伝達するように構成されている場合には、クロックの途中でゲート駆動信号が変化しても次のクロックの立ち上がりまたは立ち下がりまで信号の伝達を待たなければならないが、遅延時間Ｔ１を設けることで、パターン信号をトランス２の電圧信号ＶＴ１にどのタイミングにおいても含ませることが可能となる。よって、フォトカプラ等よりも安価で耐熱性に優れたトランス２を用いて、電力供給とともに入力ゲート駆動信号ＳＧｉｎ１を適切に伝達することができる。
【００３１】
また、第１実施形態に係るゲート駆動回路１によれば、パターン信号の時間幅Ｔ２,Ｔ３と入力ゲート駆動信号ＳＧｉｎ１のＨｉ／Ｌｏｗ極性反転とを関連付けすることで、パターン信号の時間幅Ｔ２,Ｔ３に基づいて入力ゲート駆動信号ＳＧｉｎ１の極性反転状態を適切に検出することができる。さらに、入力ゲート駆動信号ＳＧｉｎ１の変化から一定時間後に必ずデータを確定することが可能となるので、信号遅延を一定とすることができる。なお、入力ゲート駆動信号ＳＧｉｎ１に比べて出力ゲート駆動信号ＳＧｏｕｔは遅延しているが、パワースイッチング素子のＯＮ／ＯＦＦはデューティ比によって決定されるため、このように信号遅延が一定の場合には素子の制御性が悪化することはない。また、ゲート駆動信号を伝達しない通常の動作では、電源動作として最適に設計することができるため、損失等の増加が少ない。さらに、ゲート駆動信号を伝達する動作であっても、遅延時間は電源動作の周期に対して無視できるほどに小さく、ゲート駆動信号のＨｉ／Ｌｏｗの周期も電源動作の周期に比べて長いため、電源動作に影響を与えることなくゲート駆動信号を伝達することができる。
【００３２】
（第２実施形態）
第２実施形態に係るゲート駆動回路１は、第１実施形態に係るゲート駆動回路１とほぼ同様に構成され、パターン信号の利用態様が相違する。すなわち、第２実施形態に係るゲート駆動回路１は、パターン信号の出現タイミングでゲート駆動信号のＨｉ／Ｌｏｗ状態変化タイミングを伝達するとともに、そのタイミング後のトランス２の駆動の極性で、ゲートのＨｉ／Ｌｏｗ状態を伝達する。以下では、説明理解の容易性を考慮して、第１実施形態との相違点を中心に説明し、重複する説明は省略する。
【００３３】
図３は、第２実施形態に係るゲート駆動回路１を示す回路構成図である。図３に示すように、第２実施形態に係るゲート駆動回路１は、第１実施形態に係るゲート駆動回路１とほぼ同様であり、フリップフロップ回路部８に代えてラッチ回路（ゲート駆動信号検出手段）１２を備える点が相違する。ラッチ回路１２は、パターン検出部６で検出された信号に基づいてデータをラッチ（確定）する機能を有している。
【００３４】
次に、上記構成のゲート駆動回路１の動作について説明する。図４は、ゲート駆動回路１の動作を示すタイミングチャートである。
【００３５】
図４に示すように、最初に、タイミング生成部４及び遅延生成部５が入力ゲート駆動信号ＳＧｉｎ１を入力する。その後、遅延生成部５が、入力ゲート駆動信号ＳＧｉｎ１を遅延時間Ｔ１だけ遅延させて入力ゲート駆動遅延信号ＳＧｉｎ２を生成する。
【００３６】
そして、タイミング生成部４は、入力ゲート駆動信号ＳＧｉｎ１が変化したタイミングから遅延時間Ｔ１の間はトランス２の駆動極性変化（Ｈｉ／Ｌｏｗ極性反転）を禁止する。そして、遅延時間Ｔ１経過直後に、入力ゲート駆動信号ＳＧｉｎ１のＨｉ／Ｌｏｗ（ＯＮ／ＯＦＦ）の変化のタイミングに応じて、遅延時間Ｔ１よりも短い一定の時間幅Ｔ２をもつパルス状の極性反転を有するパターン信号（クロック情報）が一次側の電圧信号ＶＴ１に含まれるように駆動タイミングを生成する。例えば、入力ゲート駆動信号ＳＧｉｎ１がＬｏｗからＨｉ又はＨｉからＬｏｗへ変化するタイミングでは、時間幅Ｔ２をもつパルス状の極性反転を有するパターン信号が一次側の電圧信号ＶＴ１に含まれるように駆動タイミングを生成する（図中（ア））。そして、タイミング生成部４は、時間幅Ｔ２経過後であって所定時間Ｔ３後に入力ゲート駆動信号ＳＧｉｎ１のＨｉ／Ｌｏｗに対応した駆動極性となるように、トランス２の一次側の電圧信号ＶＴ１を設定する。すなわち、入力ゲート駆動信号ＳＧｉｎ１のＨｉ／Ｌｏｗと、時間幅Ｔ２経過後であって所定時間Ｔ３後の電圧信号ＶＴ１とを一致させるように、駆動タイミングを設定する。なお、所望の駆動特性でない場合には、さらにＴ２の時間幅をもって駆動極性を反転させた電圧信号ＶＴ１を設定する（図中（イ）参照）。時間Ｔ２,Ｔ３は、Ｔ３−Ｔ２が駆動周期Ｔ４よりも小さくなるように設定される。なお、入力ゲート駆動信号ＳＧｉｎ１に関する情報の伝達が終了した後は、通常の電源動作としての駆動に戻り、一定の駆動時間Ｔ４にて駆動する。すなわち、トランス２の一次側の電圧信号ＶＴ１の駆動周期が始まるように、パターン信号直後に駆動周期をリセットする。
【００３７】
このように、トランス一次側電圧ＶＴ１は、入力ゲート駆動信号ＳＧｉｎ１の極性変化に応じて、時間幅が同一のパターンを用いた所定のパターンを描くように変更される。
【００３８】
トランス２の二次側は、トランス２の巻き線数比に応じて一次側電圧ＶＴ１と同じタイミングで電圧ＶＴ２の振幅を変化させる。パターン検出部６は、二次側電圧ＶＴ２の極性変化から特定の時間間隔（時間幅Ｔ２）の極性変化を検出する。例えば、パターン検出部６は、一定間隔毎に二次側電圧ＶＴ２をサンプリングし（図４中の▽印）、時間幅Ｔ２のパターン信号を検出する。そして、パターン信号を検出後一定期間（Ｔ３）の間、クロック情報となる信号（パターン検出出力ＬＯＵＴ１）を出力する。また、極性変化の順番に応じて、パターン検出出力ＬＯＵＴ１だけでなくパターン検出出力ＬＯＵＴ２も出力する。Ｔ３−Ｔ２がＴ４よりも小さいとすると、Ｔ３経過後のトランス２の駆動極性は、ゲート駆動信号のＨｉ／Ｌｏｗに対応した駆動極性となる。
【００３９】
ラッチ回路１２は、パターン検出出力ＬＯＵＴ１,ＬＯＵＴ２の両信号によりトランス２の二次側の極性（Ｈｉ／Ｌｏｗ値）をラッチする。図４では、両信号のパルスの立ち下がりエンジのタイミングでラッチしている例を示している。パターン検出出力ＬＯＵＴ１,ＬＯＵＴ２は、入力ゲート駆動信号ＳＧｉｎ１のＨｉ／Ｌｏｗの極性変化のタイミングに対応し、Ｔ３経過後には二次側電圧ＶＴ２の極値がゲート駆動信号のＨｉ／Ｌｏｗ状態に対応しているため、ラッチしたデータは入力ゲート駆動信号ＳＧｉｎ１を復元したものとなり、出力ゲート駆動信号ＳＧｏｕｔとして出力される。
【００４０】
以上、第２実施形態に係るゲート駆動回路１によれば、タイミング生成部４により、入力ゲート駆動信号ＳＧｉｎ１の極性反転のタイミングから遅延時間Ｔ１経過までの期間はトランス２の一次側の電圧信号ＶＴ１の極性反転が禁止される。これにより、遅延時間Ｔ１間隔以下の電圧信号の極性変化が生じなくなる。そして、タイミング生成部４により、遅延時間Ｔ１経過直後に入力ゲート駆動信号ＳＧｉｎ１の極性反転に応じて遅延時間Ｔ１よりも短い時間幅Ｔ２をもつパルス状の極性反転を有するパターン信号を生成することで、入力ゲート駆動信号ＳＧｉｎ１の極性反転に関するパターン信号を検出可能な状態でトランス２の電圧信号ＶＴ１に含ませることができる。さらに、従来のように、トランス２の一次側を一定の周波数に同期して駆動させ、その周波数に同期してクロックを生成して信号伝達するように構成されている場合には、クロックの途中でゲート駆動信号が変化しても次のクロックの立ち上がりまたは立ち下がりまで信号の伝達を待たなければならないが、遅延時間Ｔ１を設けることで、パターン信号をトランス２の電圧信号ＶＴ１にどのタイミングにおいても含ませることが可能となる。よって、フォトカプラ等よりも安価で耐熱性に優れたトランス２を用いて、電力供給とともに入力ゲート駆動信号ＳＧｉｎ１を適切に伝達することができる。
【００４１】
また、第２実施形態に係るゲート駆動回路１によれば、時間幅Ｔ２のパターン信号の出現タイミングで入力ゲート駆動信号ＳＧｉｎ１の極性反転のタイミングを適切に検出することができるとともに、時間幅Ｔ２のパターン信号終了から所定時間Ｔ３経過後の電圧信号ＶＴ１の極性を用いて入力ゲート駆動信号ＳＧｉｎ１の極性を適切に検出することが可能となる。さらに、入力ゲート駆動信号ＳＧｉｎ１の変化から一定時間後に必ずデータを確定することが可能となるので、信号遅延を一定とすることができる。なお、入力ゲート駆動信号ＳＧｉｎ１に比べて出力ゲート駆動信号ＳＧｏｕｔは遅延しているが、パワースイッチング素子のＯＮ／ＯＦＦはデューティ比によって決定されるため、このように信号遅延が一定の場合には素子の制御性が悪化することはない。また、ゲート駆動信号を伝達しない通常の動作では、電源動作として最適に設計することができるため、損失等の増加が少ない。さらに、ゲート駆動信号を伝達する動作であっても、遅延時間は電源動作の周期に対して無視できるほどに小さく、ゲート駆動信号のＨｉ／Ｌｏｗの周期も電源動作の周期に比べて長いため、電源動作に影響を与えることなくゲート駆動信号を伝達することができる。
【００４２】
なお、上述した各実施形態は本発明に係るゲート駆動回路の一例を示すものである。本発明に係るゲート駆動回路は、各実施形態に係るゲート駆動回路１に限られるものではなく、各請求項に記載した要旨を変更しない範囲で、各実施形態に係るゲート駆動回路１を変形し、又は他のものに適用したものであってもよい。
【００４３】
例えば、上述した各実施形態では、フルブリッジ方式の電源トランス駆動の例を説明したが、ハーフブリッジ方式やプッシュプル方式等でもあってよく、要はトランスを用いた絶縁電源であれば方式を問わずに本発明を採用することができる。
【００４４】
また、上述した第１実施形態では、パターン信号の判定に用いるサンプリング回数を４回として説明したが、これに限られるものではなく、時間幅の判定ができれば何回であってもよい。また、サンプリングはデジタル的でなくてもよく、アナログ的な時間幅判定を行ってもよい。また、時間幅Ｔ２は時間幅Ｔ３よりも短いものとして説明したが、逆の場合であってもよい。
【００４５】
さらに、上述した第１実施形態では、２つのパターンのパルス幅を用いる例を説明したが、３つ以上の複数のパルス幅を用いてもよい。この場合、複数のゲート駆動信号の伝達が可能となる。また、上述した第１実施形態における遅延時間Ｔ１以下のパルス幅を利用して、シリアル通信としての信号伝達も可能である。
【符号の説明】
【００４６】
１…ゲート駆動回路、２…トランス、３…トランス駆動回路部（トランス駆動手段）、４…タイミング生成部（タイミング生成手段）、５…遅延生成部、６…パターン検出部（ゲート駆動信号検出手段）、８…フリップフロップ回路部（ゲート駆動信号検出手段）、９…ダイオード、１０…電圧源、１２…ラッチ回路部（ゲート駆動信号検出手段）。
【図１】
2012125100.tif 000003
【図２】
2012125100.tif 000004
【図３】
2012125100.tif 000005
【図４】
2012125100.tif 000006